(57)【要約】  光学部材は、３１５ｎｍ超４００ｎｍ以下の波長領域に極大値を含み、３８０ｎｍ以上５００ｎｍ以下の波長領域に極小値を含み、極大値の波長は極小値の波長よりも短い透過スペクトルの特性を有する光学部材。
2017090128.tif 000002
【特許請求の範囲】
【請求項１】
３１５ｎｍ超４００ｎｍ以下の波長領域に極大値を含み、３８０ｎｍ以上５００ｎｍ以下の波長領域に極小値を含み、前記極大値の波長は前記極小値の波長よりも短い透過スペクトルの特性を有する光学部材。
【請求項２】
３１５ｎｍ超５００ｎｍ以下の波長領域において、前記透過スペクトルの極値は、前記極大値及び前記極小値の２つである、請求項１に記載の光学部材。
【請求項３】
前記透過スペクトルにおいて、３１５ｎｍ以下の波長領域の透過率は、第１閾値以下であり、５００ｎｍ超の波長領域の透過率は、第２閾値以上である、請求項２に記載の光学部材。
【請求項４】
前記極大値は、３６０ｎｍ以上４００ｎｍ以下の波長領域に含まれる、請求項１乃至３いずれか一項に記載の光学部材。
【請求項５】
前記極小値は、４００ｎｍ以上４６０ｎｍ以下の波長領域に含まれる、請求項１乃至４いずれか一項に記載の光学部材。
【請求項６】
前記極小値の透過率は第３閾値以上である、及び／又は前記極小値の透過率は前記４閾値以上第５閾値以下である、請求項１乃至５いずれか一項に記載の光学部材。
【請求項７】
請求項１乃至６いずれか一項に記載の光学部材をレンズに用いるアイウェア。
【発明の詳細な説明】
【技術分野】
【０００１】
本発明は、光学部材に関する。
【背景技術】
【０００２】
紫外線が透過することを防止する眼鏡やコンタクトレンズ等が多く販売されている。これは、眼が、紫外線を受けることで様々な損傷を受けることが報告されているからである（例えば非特許文献１参照）。【０００３】
他方、世界的に増加傾向にある近視には、屈折近視と軸性近視とがある。近視の多くは、軸性近視であり、軸性近視においては、眼軸長の伸長に伴って近視が進行し、伸長は不可逆的であることが知られている（例えば非特許文献２参照）。また、近視が進んだ強度近視は、失明原因の第一位として知られている（例えば非特許文献３参照）。
【先行技術文献】
【非特許文献】
【０００４】
【非特許文献１】Saito  et  al.,  Jpn  Ophthalmol  2010;  54:  486-493、Per G.  Soderberg,  Progress in Biophysics and Molecular Biology 107 (2011) 389-392
【非特許文献２】Morgan  IG  et  al.,  Lancet，  2012
【非特許文献３】Iwase  A.  et  al.,  Ophthalmology,  2006
【発明の概要】
【発明が解決しようとする課題】
【０００５】
近年、近視発生を予防する手段や近視の進行を遅らせる手段が盛んに研究されているが、未だに有効な手段の発見には至っていない。さらに、近視発生を予防する又は近視を遅らせつつ、眼精疲労を考慮するという発想自体がそもそも存在しなかった。そこで、本発明は、近視を予防する又は近視を遅らせる効果を含みつつ、眼精疲労を低減し得る光学部材を提供することを目的とする。
【課題を解決するための手段】
【０００６】
光学部材は、３１５ｎｍ超４００ｎｍ以下の波長領域に極大値を含み、３８０ｎｍ以上５００ｎｍ以下の波長領域に極小値を含み、前記極大値の波長は前記極小値の波長よりも短い透過スペクトルの特性を有する。
【図面の簡単な説明】
【０００７】
【図１】近視抑制に関する具体例２における、２種類の眼内レンズのどちらか一方を挿入した眼、およびコントロール眼の眼軸長の伸長の度合いを示すグラフである。
【図２】近視抑制に関する具体例２において使用した、ＵＶＡ照射装置が発する紫外線の強度と波長との関係を示すグラフである。
【図３】近視抑制に関する具体例２で使用した、ＵＶＡ照射装置が発する紫外線の強度とＵＶＡ照射装置からの距離との関係を示す表である。
【図４】近視抑制に関する具体例２においてＵＶＡを照射したヒヨコと照射しなかったヒヨコの眼の屈折値を示すグラフである。
【図５】近視抑制に関する具体例２においてＵＶＡを照射したヒヨコと照射しなかったヒヨコの眼軸長を示すグラフである。
【図６】近視抑制に関する具体例３において使用した、ＵＶＡ照射装置が発する３０５ｎｍにピークを有する短波長光の強度と波長との関係を示すグラフである。
【図７】近視抑制に関する具体例４において使用した、３１５ｎｍ超４００ｎｍ以下の波長の短波長光を通さず、近視抑制効果の無いメガネレンズの透過光スペクトラムの一例である。
【図８】近視抑制に関する具体例４における、３１５ｎｍ超４００ｎｍ以下の波長の短波長光を通すメガネのレンズの透過スペクトラムである。
【図９】本実施形態における光学部材の一例を示す図である。
【図１０】本実施形態における光学部材の透過スペクトルの一例を示す図である。
【図１１】本実施形態における光学部材の構造の一例を示す図である。
【図１２】実施例における、光学部材を用いるアイウェアの一例を示す図である。
【発明を実施するための形態】
【０００８】
本願発明は、本願発明者の一人である坪田一男氏、根岸一及、鳥居秀成、及び栗原俊英によって発明され、学校法人慶應義塾が出願したＰＣＴ出願（ＰＣＴ／ＪＰ２０１５／６５９９７）に記載の新たな知見に基づいて創作されたものである。そこで、まず上記新たな知見について、上記ＰＣＴ出願の出願書類を適宜引用しつつ説明する。
【０００９】
次に、この知見に基づき完成した本発明の実施の形態を、実施例を挙げながら詳細に説明する。なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的な実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【００１０】
［近視予防に関する新たな知見］（ＰＣＴ出願（ＰＣＴ／ＪＰ２０１５／６５９９７）の出願書類に記載された新たな知見）
上述した新たな知見とは、紫外線領域の波長が、近視を予防することができるという知見である。ここで、「近視を予防する」とは、近視の発生を予防すること、および近視の進行を遅らせることを含む。以下、この新たな知見について説明する。
【００１１】
紫外線は、波長によってＵＶＡ、ＵＶＢ、ＵＶＣに分類される。ＵＶＡの波長範囲が３１５〜４００ｎｍ、ＵＶＢの波長範囲が２８０〜３１５ｎｍ、ＵＶＣの波長範囲が１００〜２８０ｎｍである。上記知見に基づき発明された近視予防物品は、紫外線のうち、３１５ｎｍ超（又は以上）４００ｎｍ以下、好ましくは３６０ｎｍ以上４００ｎｍ以下の波長の紫外線を眼が受けられるようにすることで、近視を予防するものである。なお、上述した範囲の紫外線は、範囲内の全波長の紫外線を意味してもよいし、範囲内の一部の波長の紫外線を意味してもよい。
【００１２】
（１）光透過部を含む近視予防物品
光透過部（又は「光学部材」とも称する。）を含む近視予防物品は、自然光および人工光等の光の波長のうち、３１５ｎｍ超４００ｎｍ以下、好ましくは３６０ｎｍ以上４００ｎｍ以下の波長の紫外線を透過し、３１５ｎｍ以下の波長の紫外線を透過しない材料を光透過部に使用した物品であればよい。
【００１３】
近視予防物品の光透過部は、波長３１５ｎｍ超４００ｎｍ以下、好ましくは３６０ｎｍ以上４００ｎｍ以下の波長の紫外線を透過し、且つ３１５ｎｍ以下の波長の紫外線を透過しない一つの部品でもよいし、波長３１５ｎｍ超４００ｎｍ以下、好ましくは３６０ｎｍ以上４００ｎｍ以下の波長の紫外線を透過する部品と、３１５ｎｍ以下の波長の紫外線を透過しない部品とを組み合わせたものでもよい。
【００１４】
近視予防物品の具体例として、視力矯正具（眼鏡レンズ、コンタクトレンズや眼内レンズ等）、眼保護具（サングラス、保護眼鏡やゴーグル等）、顔保護具（ヘルメットのシールド等）、日除け（日傘やサンバイザー等）、表示装置の表示画面（テレビ、パソコン用モニタ、ゲーム機、ポータブルメディアプレーヤー、携帯電話、タブレット端末、ウェアラブルデバイス、３Ｄ眼鏡、仮想眼鏡、携帯型ブックリーダー、カーナビ、デジタルカメラ等の撮像装置、車内モニタ、航空機内モニタ等）の表示画面、カーテン（布カーテンやビニールカーテン等）、窓（建物、車両、航空機の窓やフロントまたはリアウィンドウ等）、壁（ガラスカーテンウォール等）、光源の覆い（照明のカバー等）、コーティング材（シールや塗布液等）等が挙げられるが、本発明はこれらに限定されない。
【００１５】
光透過部の材料は、３１５ｎｍ超４００ｎｍ以下、好ましくは３６０ｎｍ以上４００ｎｍ以下の波長の紫外線を透過し、それぞれ３１５ｎｍ以下、３６０ｎｍ以下の波長の紫外線を透過しないように加工できればよい。例えば、光透過部の材料は、ガラス、プラスティックなどであるが、これらに限られない。また、光透過部の材料は、公知の紫外線吸収剤、紫外線散乱剤等を使用してもよい。
【００１６】
「紫外線を透過しない」とは、例えば、紫外線透過率が、好ましくは１％以下、更に好ましくは０．１％以下であることをいう。紫外線透過率の測定方法は、当業者にはよく知られるところであり、任意の公知の測定装置と方法で測定することができる。
【００１７】
波長３１５ｎｍ超４００ｎｍ以下、好ましくは３６０ｎｍ以上４００ｎｍ以下の波長の紫外線の透過率は、周囲の紫外線量によって適正な透過率を選択すればよい。この場合の適正な透過率とは、好ましくは２１％以上、更に好ましくは３０％以上の透過率である。
【００１８】
透過した波長３１５ｎｍ超４００ｎｍ以下、好ましくは３６０ｎｍ以上４００ｎｍ以下の波長の紫外線の強度は、好ましくは５．０ｍＷ／ｃｍ２以下、更に好ましくは３．０ｍＷ／ｃｍ２以下、更に好ましくは１．０ｍＷ／ｃｍ２以下、更に好ましくは０．５ｍＷ／ｃｍ２以下、更に好ましくは０．２５ｍＷ／ｃｍ２以下である。強度は、公知の方法で測定することができる。
【００１９】
（２）近視予防方法
近視予防方法としては、上記光透過部を含む近視予防物品を装着することである。装着方法は特に限定されず、近視予防物品の種類に従い、適切に装着すればよい。
【００２０】
なお、これらの方法が適用できるのは、ヒトまたはヒト以外の脊椎動物であればよい。
【００２１】
（３）近視予防に適した紫外線の調査方法
近視予防に適した紫外線の特定方法は、３１５ｎｍ超４００ｎｍ以下、好ましくは３６０ｎｍ以上４００ｎｍ以下の範囲のうち所定の波長の紫外線が近視を予防できるかを調べる方法であって、その波長の紫外線をヒトまたはヒト以外の脊椎動物に照射することを含む。そして、その波長が、実際に近視を予防できるかどうか、例えば、具体例２に記載の方法で調べる。これによって、３１５ｎｍ超４００ｎｍ以下、好ましくは３６０ｎｍ以上４００ｎｍ以下の範囲のうち、どの波長あるいはどの範囲の波長が特に効果が高いかを特定することができる。
【００２２】
＜具体例１＞
３１５ｎｍ超４００ｎｍ以下の波長の紫外線を透過し３１５ｎｍ以下の波長の紫外線を透過しない光透過部を含む近視予防物品として、有水晶体眼内レンズを例に、その近視予防効果を下記の試験によって検証した。
【００２３】
まず、眼の眼軸長を測定し、測定した眼に、紫外線を全波長にわたりほぼ完全に透過しない有水晶体眼内レンズであるＡｒｔｉｓａｎ（商品名）  Ｍｏｄｅｌ２０４（Ｏｐｈｔｅｃ  Ｂ．Ｖ．製）、または凡そ３５０〜４００ｎｍの範囲の波長のみからなる紫外線を透過する有水晶体眼内レンズであるＡｒｔｉｆｌｅｘ（商品名）  Ｍｏｄｅｌ４０１（Ｏｐｈｔｅｃ  Ｂ．Ｖ．製）を、手術によって挿入した。その後、挿入術５年経過時の眼軸長伸長を測定した。眼軸長の測定は、ＩＯＬマスター（Carl Zeiss Meditec社製）を使用し、標準的方法で行った。
【００２４】
一方で、コントロール眼として、屈折矯正手術を受けていない強度近視眼１８５眼の眼軸長の２年間の伸長の度合いを測定し、平均値を求めた。コントロール眼の眼軸長伸長は、平均で０．０６５mm/年であった（詳細は、Saka  N  et  al.,  Graefes  Arch  Clin  Exp  Ophthalmol.,  Vol.251, pp.495-499,  2013を参照）。眼軸長は、上記と同様ＩＯＬマスターを使用して測定した。
【００２５】
図１は、Ａｒｔｉｓａｎ（商品名）を使用した７例１４眼（平均年齢３５．７歳）、Ａｒｔｉｆｌｅｘ（商品名）を使用した９例１７眼（平均年齢３６．１歳）、およびコントロール眼（１８５眼、平均年齢４８．４歳）の５年間の眼軸長の伸長の度合いを示す図である。
【００２６】
図１に示す例では、Ａｒｔｉｓａｎ（商品名）を使用した眼およびＡｒｔｉｆｌｅｘ（商品名）を使用した眼は、挿入術後と挿入術前の眼軸長の差分を５年間の眼軸長の伸長度合いとし、コントロール眼は、上記で求めた１年の平均眼軸長伸長を５倍して得た値を５年間の眼軸長の伸長度合いとした。
【００２７】
図１に示すように、凡そ３５０〜４００ｎｍの範囲の波長のみからなる紫外線を受けた眼の眼軸長の伸長の度合いが、紫外線を全ての波長にわたりほぼ完全に受けなかった眼に比べて、有意に小さくなった。
【００２８】
＜具体例２＞
３１５ｎｍ超４００ｎｍ以下の波長の紫外線を発する、ＵＶＡ照射装置を例に、その近視予防効果を下記の実験により検証した。
【００２９】
ヒヨコは、片目を透明半球で覆うとその眼（遮蔽眼）が近視化することが知られている（たとえば、Seko et al., Invest. Ophthalmol. Vis. Sci. May 1995 vol. 36 no. 6 1183-1187参照）。そこで、生後６日のホワイトレグホン種のヒヨコ３０羽の片目を透明半球で覆い、ＵＶＡを照射しないＵＶＡ非照射群１５羽と、ＵＶＡを照射するＵＶＡ照射群１５羽とに分け、１日を明暗１２時間ずつとして１週間飼育し、遮蔽眼の近視化の度合いを調べた。
【００３０】
ＵＶＡの照射は、ＵＶランプＰＬ−Ｓ  ＴＬ／０８（Ｐｈｉｌｉｐｓ社製）を使用し、ＵＶＡ出力１．７Ｗで行った。
【００３１】
図２は、ＵＶＡ照射装置の分光エネルギー分布を示す図である。図３は、照射した紫外線の強度とランプとの距離との関係を示す図である。
【００３２】
ＵＶＡ非照射群のうち１４羽およびＵＶＡ照射群のうち１３羽について、生後１３日目（遮蔽開始１週間後）の遮蔽眼の屈折値および硝子体腔長および眼軸長を測定した。屈折値はオートレフラクトメーターを使用し標準的な方法で測定した。硝子体腔長および眼軸長の測定は、ＵＳ−４０００（株式会社ニデック製）を使用しＢモードで行った。
【００３３】
図４は、屈折値測定の結果を示す図である。図５は、眼軸長測定の結果を示す図である。有意差検定には、マン・ホイットニーのＵ検定を用いた。
【００３４】
図４に示すように、ＵＶＡ照射群の遮蔽眼の平均屈折値は、ＵＶＡ非照射群の遮蔽眼の平均屈折値に比べ有意に大きな値となった（ＵＶＡ照射により近視予防効果があった）。また、図５に示すように、ＵＶＡ照射群の遮蔽眼の平均眼軸長は、ＵＶＡ非照射群の遮蔽眼の平均眼軸長に比べ有意に小さかった。従って、ＵＶＡ照射群の近視の度合いの方が、ＵＶＡ非照射群に比べ有意に小さくなることが明らかになった。また、図２、３に示す強度の値から、比較的弱いＵＶＡで近視予防効果が達成された。
【００３５】
＜具体例３＞
図６は、３０５ｎｍにピークを有する短波長光を示す図である。図６に示す短波長光を、生後５日目のヒヨコに２日間照射したところ、ヒヨコ角膜に上皮びらんが形成された。このように、短波長光は組織障害性が強いことから、近視予防のために照射する光は、３４０ｎｍ以上であることが好ましく、３５０ｎｍ以上であることがより好ましく、３６０ｎｍ以上であることがさらに好ましい。
【００３６】
＜具体例４＞
３１５ｎｍ超４００ｎｍ以下の波長の短波長光による近視抑制効果の実施のためには、当該波長光を発する電灯とそれを通すレンズを有するメガネを合わせて使うことが有効である。
【００３７】
既に市場に出ているメガネは、本特許で説明する効果を示さない。一例として、図７は、当該短波長光をほぼ通さず、近視抑制効果の無いメガネレンズ（ＡＡ〜ＦＦ）の透過光スペクトラムを示す図である。
【００３８】
図８は、近視予防に有効な短波長光を通すメガネのレンズの透過スペクトラムの一例を示す図である。図８で説明するメガネを、例えば約３８０ｎｍのピーク波長を含む光を照射する電灯と組み合わせて使用することによって、近視抑制効果を効率よく発揮させることができる。
【００３９】
以上のように、３１５ｎｍ超４００ｎｍ以下、好ましくは３６０ｎｍ以上４００ｎｍ以下の波長の紫外線を眼が受けられるようにすると、その眼の近視発生を予防でき、近視の進行を遅らせることができる。
【００４０】
［本願発明に係る実施形態］
次に、上述した知見に基づき、本願発明者らが考案した、近視予防の効果を有しつつ、眼精疲労を低減し得る光学部材について説明する。以下、近視予防の効果を有する光学部材であって、目の疲れを低減したり、視認性を向上させたりすることができる光学部材の実施形態について説明する。
【００４１】
＜光学部材の特性＞
図９は、本実施形態における光学部材１０の一例を示す図である。本実施形態における光学部材１０は、例えば、アイウェアに用いられる近視抑制用のレンズを想定したものであり、光学部材１０は、近視抑制に効果がある波長を透過する上記の光透過部の特性を持ちつつ、さらに、疲れ目や視認性向上のための特性を持つ。光学部材１０は、上記特性を有するため、基材１０Ｂに対し、光学部材１０の両面又は片面に積層構造（積層膜）１０Ａを設ける。積層構造１０Ａについては図１１を用いて後述する。これにより、近視抑制用の新しい光学部材１０を提供することができる。なお、光学部材１０は、その形状が適宜加工され、アイウェアのフレームに取り付けられてもよい。
【００４２】
図１０は、本実施形態における光学部材１０の透過スペクトルの一例を示す図である。図１０に示す透過スペクトルでは、３８０ｎｍ付近に極大値を含み、４００ｎｍ付近に極小値を含む。また、図１０に示す透過スペクトルでは、４６０ｎｍ付近から透過率が約１００％になり、３４０ｎｍ付近から透過率が約０％になる。
【００４３】
また、図１０に示す透過スペクトルは、光学部材１０の表面に対して略垂直に入射される光を用いた場合の例を示す。なお、光学部材１０の表面に対して斜めに入射される光においても、図１０に示す透過スペクトルの特性を有するようにしてもよい。よって、図１０に示す透過スペクトルの特性は、必ずしも垂直に入射される光だけを対象にするのではない。
【００４４】
本実施形態における光学部材１０は、透過スペクトルが上記の極大値を持つため、紫外線領域の波長を透過させることにより近視抑制の効果を有し、さらに、透過スペクトルが上記の極小値を持つため、所謂ブルーライトを吸収又は反射させることにより疲れ目や視認性の悪化を防ぐ効果を有する。ブルーライトは、疲れ目や視認性を悪化させることが知られている。例えば、青色は、短波のため光を散乱しやすく、眼内でも光を散乱して見やすさを損なってしまう。
【００４５】
なお、本実施形態における光学部材１０は、極大値が３１５超４００ｎｍ以下、好ましくは３６０ｎｍ以上４００ｎｍ以下の間に設けられることで、極大値付近の紫外線の波長を良く透過し、近視抑制の効果を有するようにしてもよい。具体例３により、３６０ｎｍ以上の紫外線が、眼を保護しつつ、近視抑制に好適であることが分かっている。
【００４６】
また、本実施形態における光学部材１０は、極小値が３８０ｎｍ超５００ｎｍ以下、好ましくは４００ｎｍ以上４６０ｎｍ以下の間に設けられることで、極小値付近の波長を透過させず、疲れ目や視認性悪化を防止する効果を有するようにしてもよい。一般に、ブルーライトは、メラトニンを分泌させることが知られている。例えば、４００ｎｍ以上４６０ｎｍ以下の間に極小値が設けられることにより、眠気を誘発するメラトニンの分泌を抑えることができるため、サーカディアンリズムの乱れを防止することができる。その結果、本実施形態における光学部材１０は、昼用のレンズとしても好適に用いることが可能になる。
【００４７】
また、本実施形態における光学部材１０は、３１５ｎｍ以下の波長の透過率が第１閾値以下になるように設計される。第１閾値は、例えば５％であり、できるだけ小さい値が設定されるとよい。これは、不必要な低波長を透過させないためである。また、本実施形態における光学部材１０は、５００ｎｍ以上の波長の透過率が第２閾値以上になるように設計される。第２閾値は、例えば９５％であり、できるだけ大きい値が設定されるとよい。これは、必要な可視光を透過させるためである。
【００４８】
また、極大値は、３６０ｎｍ未満の領域に含まれないようにしてもよい。つまり、極大値は、３６０ｎｍ以上４００ｎｍ以下の領域のみに含まれるようにしてもよい。これにより、極大値の波長が、目の保護と近視抑止とを考慮した適切な波長になることで、不必要な紫外線領域をカットすることができるようになる。また、さらに、極小値は、４００ｎｍ未満及び４６０ｎｍ以上の領域に含まれないようにしてもよい。つまり、極小値は、４００ｎｍ以上４６０ｎｍ以下の領域のみに含まれるようにしてもよい。これにより、極小値の波長が、視認性の観点で適切な波長になることで、必要な可視光領域を透過させることができるようになる。
【００４９】
また、３１５ｎｍ超５００ｎｍ以下の波長領域には、極値として極大値及び極小値の２つのみが含まれるようにしてもよい。これにより、必要最低限の極値数を用いることで、所望の光を透過するような透過スペクトルの特性を生成することができる。また、３１５ｎｍ超５００ｎｍ以下の波長領域に極値が２つであると、比較的シンプルな形状の透過スペクトルになるので、光学部材１０の設計がしやすくなる。
【００５０】
また、極大値は、第３閾値以上の透過率であり、極小値は、第４閾値以上第５閾値以下の所定範囲に含まれる透過率であるとする。ここでは、例えば、第３閾値は、８０％とし、第４閾値は、４０％とし、第５閾値は、６０％とする。青色の波長は、光三原色の１つであるため、極小値を小さくしすぎて青色の波長をカットしすぎないようにする。
【００５１】
なお、サーカディアンリズムについては、”Suppression of melatonin secretion in some blind patients by exposure to bright light,”Czeisler CA, Shanahan TL, Klerman EB, Martens H, Brotman DJ, Emens JS, Klein T, Rizzo JF 3rd., N Engl J Med. 1995 Jan 5;332(1):6-11.や、” Evening use of light-emitting eReaders negatively affects sleep, circadian timing, and next-morning alertness,” Chang AM, Aeschbach D, Duffy JF, Czeisler CA., Proc Natl Acad Sci U S A. 2015 Jan 27;112(4):1232-7. doi: 10.1073/pnas.1418490112. Epub 2014 Dec 22.を参照されたい。
【００５２】
また、疲れ目については、” Effect of Blue Light-Reducing Eye Glasses on Critical Flicker Frequency,” Ide, Takeshi MD, PhD; Toda, Ikuko MD; Miki, Emiko MD; Tsubota, Kazuo MD, Asia-Pacific Journal of Ophthalmology:  Post Editor Corrections: September 24, 2014.や、” Biological effects of blocking blue and other visible light on the mouse retina,” Narimatsu T1, Ozawa Y, Miyake S, Kubota S, Yuki K, Nagai N, Tsubota K., Clin Experiment Ophthalmol. 2014 Aug;42(6):555-63. doi: 10.1111/ceo.12253. Epub 2013 Dec 4.を参照されたい。
【００５３】
＜光学部材の構造＞
図１１は、本実施形態における光学部材１０の構造の一例を示す図である。図１１に示す例では、基材１０Ｂに対し、積層構造１０Ａを両面に設ける。積層構造１０Ａについて、ハードコート膜を基材１０Ｂに成膜して傷を防止し、さらにハードコート膜に１〜１３層を積層する。光学部材１０における光学多層膜は、真空蒸着法やスパッタ法等により、低屈折率層と高屈折率層を交互に積層させて形成される。これにより、所望の光を選択的に反射させることができる。
【００５４】
図１１に示す例では、基材１０Ｂは、例えばチオウレタン樹脂が用いられ、ハードコート膜は、例えば厚さ３〜５μｍの有機ケイ素化合物が用いられ、奇数層は、例えば所定の厚さの低屈折率の酸化ケイ素（ＳｉＯ２）が用いられ、偶数層は、例えば所定の厚さの高屈折率の酸化ジルコニウム（ＺｒＯ２）が用いられる。各層の厚さは、図１１に示すとおりであるが、低屈折率と高屈折率との屈折率差を基に、光学シミュレーションにより求められる。よって、低屈折率の材料と、高屈折率の材料とが決定されると、この光学シミュレーションにより、所定の透過スペクトル（又は反射スペクトル）になるように各膜厚を決定することができる。
【００５５】
なお、各層には無機化合物が用いられる。光学部材１０には、高屈折率の無機化合物として、例えば、酸化チタン、酸化ジルコニウム、酸化アルミニウム、酸化イットリウム、酸化タンタル、酸化ハフニウム、酸化スズ、酸化ニオブ、酸化セリウム、酸化インジウム等のいずれかが用いられてもよい。また、高屈折率の無機酸化物は、不足当量酸化チタン（ＴｉＯｘ，ｘ＜２で２に近い）を用いることができるし、少なくとも１層においてＩＴＯ膜を用いることができる。
【００５６】
また、光学部材１０には、低屈折率の無機化合物として、チオライト、クリオライト、フッ化アルミニウム（ＡｌＦ３）フッ化アルミニウム（ＭｇＦ２）、フッ化カルシウム（ＣａＦ２）等のいずれかが用いられてもよい。
【００５７】
また、光学部材１０には、ハードコート膜として、オルガノシロキサン系ハードコート膜を用いるのが好ましい。オルガノシロキサン系ハードコート膜は、オルガノシロキサン系樹脂と無機酸化物微粒子から構成されている。ハードコート膜は、コート用のハードコート液に浸漬し、その後公知の方法にて溶媒を蒸発させて形成される。ハードコート液は、水又はアルコール系の溶媒にオルガノシロキサン系樹脂と無機酸化物微粒子ゾルを混合させた溶液である。また、光学部材１０の素材は、有機系あるいは無機系の両方を含むものとする。また、積層する数は、光学シミュレーションにより適宜決定されればよいので、図１１に示す例に限られない。
【００５８】
＜実施例＞
図１２は、実施例における、上述した光学部材１０を用いるアイウェア２０の一例を示す図である。図１２に示すように、アイウェア２０は、レンズとして、上述した光学部材２０を用いることで、近視抑制効果を発揮するだけではなく、眼の疲れや視認性の悪化を防ぐことができる。
【００５９】
なお、光学部材１０の適用例としては、アイウェア２０に限られず、上述したように、視力矯正具（眼鏡レンズ、コンタクトレンズや眼内レンズ等）、眼保護具（サングラス、保護眼鏡やゴーグル等）、顔保護具（ヘルメットのシールド等）、日除け（日傘やサンバイザー等）、表示装置の表示画面（テレビ、パソコン用モニタ、ゲーム機、ポータブルメディアプレーヤー、携帯電話、タブレット端末、ウェアラブルデバイス、３Ｄ眼鏡、仮想眼鏡、携帯型ブックリーダー、カーナビ、デジタルカメラ等の撮像装置、車内モニタ、航空機内モニタ等）の表示画面、カーテン（布カーテンやビニールカーテン等）、窓（建物、車両、航空機の窓やフロントまたはリアウィンドウ等）、壁（ガラスカーテンウォール等）、光源の覆い（照明のカバー等）、コーティング材（シールや塗布液等）等にも適用することができる。
【図１】
2017090128.tif 000003
【図２】
2017090128.tif 000004
【図３】
2017090128.tif 000005
【図４】
2017090128.tif 000006
【図５】
2017090128.tif 000007
【図６】
2017090128.tif 000008
【図７】
2017090128.tif 000009
【図８】
2017090128.tif 000010
【図９】
2017090128.tif 000011
【図１０】
2017090128.tif 000012
【図１１】
2017090128.tif 000013
【図１２】
2017090128.tif 000014
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
３１５ｎｍ超４００ｎｍ以下の波長領域に極大値を含み、３８０ｎｍ以上５００ｎｍ以下の波長領域に極小値を含み、前記極大値の波長は前記極小値の波長よりも短い透過スペクトルの特性を有する光学部材であって、
前記極大値における透過率が８０％以上であり、前記極小値における透過率が４０％以上である、
光学部材。
【請求項２】
３１５ｎｍ超５００ｎｍ以下の波長領域において、前記透過スペクトルの極値は、前記極大値及び前記極小値の２つである、請求項１に記載の光学部材。
【請求項３】
前記透過スペクトルにおいて、３１５ｎｍ以下の波長領域の透過率は、５％以下であり、５００ｎｍ超の波長領域の透過率は、９５％以上である、請求項２に記載の光学部材。
【請求項４】
前記極大値は、３６０ｎｍ以上４００ｎｍ以下の波長領域に含まれる、請求項１乃至３いずれか一項に記載の光学部材。
【請求項５】
前記極小値は、４００ｎｍ以上４６０ｎｍ以下の波長領域に含まれる、請求項１乃至４いずれか一項に記載の光学部材。
【請求項６】
前記極小値における透過率が６０％以下である、請求項１乃至５のいずれか一項に記載の光学部材。
【請求項７】
請求項１乃至６いずれか一項に記載の光学部材をレンズに用いるアイウェア。
【請求項８】
３１５ｎｍ超４００ｎｍ以下の波長領域に極大値を含み、３８０ｎｍ以上５００ｎｍ以下の波長領域に極小値を含み、前記極大値の波長は前記極小値の波長よりも短い透過スペクトルの特性を有する近視予防及び眼精疲労低減用光学部材であって、
前記極大値における透過率が８０％以上であり、前記極小値における透過率が４０％以上である、
近視予防及び眼精疲労低減用光学部材。
【請求項９】
３１５ｎｍ超５００ｎｍ以下の波長領域において、前記透過スペクトルの極値は、前記極大値及び前記極小値の２つである、請求項８に記載の近視予防及び眼精疲労低減用光学部材。
【請求項１０】
前記透過スペクトルにおいて、３１５ｎｍ以下の波長領域の透過率は、５％以下であり、５００ｎｍ超の波長領域の透過率は、９５％以上である、請求項９に記載の近視予防及び眼精疲労低減用光学部材。
【請求項１１】
前記極大値は、３６０ｎｍ以上４００ｎｍ以下の波長領域に含まれる、請求項８乃至１０いずれか一項に記載の近視予防及び眼精疲労低減用光学部材。
【請求項１２】
前記極小値は、４００ｎｍ以上４６０ｎｍ以下の波長領域に含まれる、請求項８乃至１１いずれか一項に記載の近視予防及び眼精疲労低減用光学部材。
【請求項１３】
前記極小値における透過率が６０％以下である、請求項８乃至１２のいずれか一項に記載の近視予防及び眼精疲労低減用光学部材。
【請求項１４】
請求項８乃至１３いずれか一項に記載の近視予防及び眼精疲労低減用光学部材をレンズに用いるアイウェア。
【手続補正書】
【提出日】平成30年6月15日(2018.6.15)
【手続補正１】
【補正対象書類名】明細書
【補正対象項目名】００４６
【補正方法】変更
【補正の内容】
【００４６】
また、本実施形態における光学部材１０は、極小値が３８０ｎｍ超５００ｎｍ以下、好ましくは４００ｎｍ以上４６０ｎｍ以下の間に設けられることで、極小値付近の波長を透過させず、疲れ目や視認性悪化を防止する効果を有するようにしてもよい。一般に、ブルーライトは、メラトニンの分泌を抑制することが知られている。例えば、４００ｎｍ以上４６０ｎｍ以下の間に極小値が設けられることにより、眠気を誘発するメラトニンの分泌の抑制を防止することができるため、サーカディアンリズムの乱れを防止することができる。
【国際調査報告】
2017090128.tif 000015
2017090128.tif 000016
2017090128.tif 000017
2017090128.tif 000018